(57)【要約】【課題】耐久性に優れると共に、屈曲性が高くアクションが派手で魚を引きつける力が強いルアーを提供することにある。【解決手段】胴部１０は、筒部材１の軸孔１ａに心部材５を挿通して屈曲可能に一体化され、胴部１０の屈曲性を高めるための珠部材２を筒部材１と筒部材１の間に介設する。胴部１０の中央または中央より少し外した位置の筒部材１にアイレット３Ａを設け、この筒部材１はアイレット３Ａの埋設部を高耐久性で埋設しうる硬質体である。【効果】複数の筒部材の軸孔に心部材を挿通した胴部を有するので、筒部材１を硬質体にしても屈曲性が得られ、耐久性が高い。また、胴部の中央または中央より少し外した位置に釣糸取付用アイレットを設けたため、リトリーブによる水の抵抗力が屈曲させる力として働いて不規則な動きを生じ、屈曲性が高くなり、派手なアクションを付けられる。また、釣糸取付用アイレットを設けた筒部材が高耐久性の硬質体であり、この点でも耐久性が高い。【選択図】  図４
2004357646.tif 000002
【特許請求の範囲】
【請求項１】
５個以上の筒部材の軸孔に心部材を挿通して屈曲可能に一体化した胴部を有し、前記胴部の屈曲性を高めるための珠部材を前記筒部材と筒部材の間に介設したことを特徴とするルアー。
【請求項２】
５個以上の筒部材の軸孔に心部材を挿通して屈曲可能に一体化した胴部を有し、前記胴部の中央または中央より少し外した位置の筒部材に釣糸取付用アイレットを設け、前記釣糸取付用アイレットを設けた筒部材は釣糸取付用アイレットの埋設部を高耐久性で埋設しうる硬質体であることを特徴とするルアー。
【請求項３】
５個以上の筒部材の軸孔に心部材を挿通して屈曲可能に一体化した胴部を有し、前記胴部の屈曲性を高めるための珠部材を前記筒部材と筒部材の間に介設すると共に、前記胴部の中央または中央より少し外した位置の筒部材に釣糸取付用アイレットを設け、前記釣糸取付用アイレットを設けた筒部材は釣糸取付用アイレットの埋設部を高耐久性で埋設しうる硬質体であることを特徴とするルアー。
【請求項４】
５個以上の筒部材の軸孔に心部材を挿通して屈曲可能に一体化した胴部を有し、前記胴部の最前部の筒部材に凹部を設けたことを特徴とするルアー。
【請求項５】
５個以上の筒部材の軸孔に心部材を挿通して屈曲可能に一体化した胴部を有し、前記胴部の屈曲性を高めるための珠部材を前記筒部材と筒部材の間に介設すると共に、前記胴部の最前部の筒部材に凹部を設けたことを特徴とするルアー。
【請求項６】
５個以上の筒部材の軸孔に心部材を挿通して屈曲可能に一体化した胴部を有し、前記胴部の最後部の筒部材に水流によって尻振りを生じさせるテール部材を設けたことを特徴とするルアー。
【請求項７】
５個以上の筒部材の軸孔に心部材を挿通して屈曲可能に一体化した胴部を有し、前記胴部の屈曲性を高めるための珠部材を前記筒部材と筒部材の間に介設すると共に、前記胴部の最後部の筒部材に水流によって尻振りを生じさせるテール部材を設けたことを特徴とするルアー。
【請求項８】
請求項６または請求項７に記載のルアーにおいて、前記心部材を２つ以上具備したことを特徴とするルアー。
【請求項９】
請求項１から請求項８のいずれかに記載のルアーにおいて、前記筒部材のいずれかは、フックを前記胴部に密着させる磁石を具備したことを特徴とするルアー。
【発明の詳細な説明】
【０００１】
【発明の属する技術分野】
本発明は、ルアーに関し、さらに詳しくは、耐久性に優れると共に、屈曲性が高くアクションが派手で魚を引きつける力が強いルアーに関する。
【０００２】
【従来の技術】
複数の硬質体の軸孔に形状記憶合金製のワイヤを挿通して屈曲可能に一体化し、硬質体と硬質体の間に屈曲性を高めるための軟質体を介設し、ワイヤの一端に釣糸取付用アイレットを設け、他端に釣針取付用アイレットを設けたルアーが提案されている（例えば、特許文献１参照。）。
【０００３】
【特許文献１】
特開２００２−３００８３４号公報
【０００４】
【発明が解決しようとする課題】
上記従来のルアーは、複数の硬質体の間に軟質体を介設する構造とすることにより、屈曲可能としている。また、硬質体を用いると共にワイヤに釣糸取付用アイレットと釣針取付用アイレットとを設けているため、ソフトラバー製または酢酸ビニル製のワーム型ルアーのようにちぎれず、耐久性もある。
しかし、硬質体と軟質体とが面接触であるため、屈曲可能ではあるが、屈曲性が低い。また、釣糸取付用アイレットをワイヤの端に設けているため、リトリーブによる水の抵抗力が屈曲させる力として働かず、この点でも屈曲性が低い。このため、アクションが地味で魚を引きつける力が弱い問題点があった。
そこで、本発明の目的は、耐久性に優れると共に、屈曲性が高くアクションが派手で魚を引きつける力が強いルアーを提供することにある。
【０００５】
【課題を解決するための手段】
第１の観点では、本発明は、５個以上の筒部材の軸孔に心部材を挿通して屈曲可能に一体化した胴部を有し、前記胴部の屈曲性を高めるための珠部材を前記筒部材と筒部材の間に介設したことを特徴とするルアーを提供する。
上記第１の観点によるルアーでは、複数の筒部材の軸孔に心部材を挿通した胴部を有するので、筒部材を硬質体にしても屈曲性が得られ、耐久性が高い。また、珠部材を介設する構造で接触面積が小さいため、屈曲性が高く、アクションが派手で魚を引きつける力が強くなる。
【０００６】
第２の観点では、本発明は、５個以上の筒部材の軸孔に心部材を挿通して屈曲可能に一体化した胴部を有し、前記胴部の中央または中央より少し外した位置の筒部材に釣糸取付用アイレットを設け、前記釣糸取付用アイレットを設けた筒部材は釣糸取付用アイレットの埋設部を高耐久性で埋設しうる硬質体であることを特徴とするルアーを提供する。
上記第２の観点によるルアーでは、複数の筒部材の軸孔に心部材を挿通した胴部を有するので、筒部材を硬質体にしても屈曲性が得られ、耐久性が高い。また、胴部の中央または中央より少し外した位置に釣糸取付用アイレットを設けたため、リトリーブによる水の抵抗力が屈曲させる力として働いて不規則な動きを生じ、屈曲性が高くなり、派手なアクションを付けられる。また、釣糸取付用アイレットを設けた筒部材が高耐久性の硬質体であり、この点でも耐久性が高い。
【０００７】
第３の観点では、本発明は、５個以上の筒部材の軸孔に心部材を挿通して屈曲可能に一体化した胴部を有し、前記胴部の屈曲性を高めるための珠部材を前記筒部材と筒部材の間に介設すると共に、前記胴部の中央または中央より少し外した位置の筒部材に釣糸取付用アイレットを設け、前記釣糸取付用アイレットを設けた筒部材は釣糸取付用アイレットの埋設部を高耐久性で埋設しうる硬質体であることを特徴とするルアーを提供する。
上記第３の観点によるルアーでは、複数の筒部材の軸孔に心部材を挿通した胴部を有するので、筒部材を硬質体にしても屈曲性が得られ、耐久性が高い。また、胴部の中央または中央より少し外した位置に釣糸取付用アイレットを設けたため、リトリーブによる水の抵抗力が屈曲させる力として働いて不規則な動きを生じ、屈曲性が高くなり、派手なアクションを付けられる。また、釣糸取付用アイレットを設けた筒部材が高耐久性の硬質体であり、この点でも耐久性が高い。
【０００８】
第４の観点では、本発明は、５個以上の筒部材の軸孔に心部材を挿通して屈曲可能に一体化した胴部を有し、前記胴部の最前部の筒部材に凹部を設けたことを特徴とするルアーを提供する。
上記第４の観点によるルアーでは、複数の筒部材の軸孔に心部材を挿通した胴部を有するので、筒部材を硬質体にしても屈曲性が得られ、耐久性が高い。また、胴部の最前部に凹部を設けたため、リトリーブによって水面でポッピングしてポッパー音や水しぶきを発生すると共に胴部が不規則に動き、派手なアクションを付けられる。
【０００９】
第５の観点では、本発明は、５個以上の筒部材の軸孔に心部材を挿通して屈曲可能に一体化した胴部を有し、前記胴部の屈曲性を高めるための珠部材を前記筒部材と筒部材の間に介設すると共に、前記胴部の最前部の筒部材に凹部を設けたことを特徴とするルアーを提供する。
上記第５の観点によるルアーでは、複数の筒部材の軸孔に心部材を挿通した胴部を有するので、筒部材を硬質体にしても屈曲性が得られ、耐久性が高い。また、胴部の最前部に凹部を設けたため、リトリーブによって水面でポッピングしてポッパー音や水しぶきを発生すると共に胴部が不規則に動き、派手なアクションを付けられる。
【００１０】
第６の観点では、本発明は、５個以上の筒部材の軸孔に心部材を挿通して屈曲可能に一体化した胴部を有し、前記胴部の最後部の筒部材に水流によって尻振りを生じさせるテール部材を設けたことを特徴とするルアーを提供する。
上記第６の観点によるルアーでは、複数の筒部材の軸孔に心部材を挿通した胴部を有するので、筒部材を硬質体にしても屈曲性が得られ、耐久性が高い。また、胴部の最後部に水流によって尻振りを生じさせるテール部材を設けたため、リトリーブによって胴部の後部に尻振りが生じ、これに伴って胴部もうねり、派手なアクションを付けられる。
【００１１】
第７の観点では、本発明は、５個以上の筒部材の軸孔に心部材を挿通して屈曲可能に一体化した胴部を有し、前記胴部の屈曲性を高めるための珠部材を前記筒部材と筒部材の間に介設すると共に、前記胴部の最後部の筒部材に水流によって尻振りを生じさせるテール部材を設けたことを特徴とするルアーを提供する。
上記第６の観点によるルアーでは、複数の筒部材の軸孔に心部材を挿通した胴部を有するので、筒部材を硬質体にしても屈曲性が得られ、耐久性が高い。また、胴部の最後部に水流によって尻振りを生じさせるテール部材を設けたため、リトリーブによって胴部の後部に尻振りが生じ、これに伴って胴部もうねり、派手なアクションを付けられる。
【００１２】
第８の観点では、本発明は、請求項６または請求項７に記載のルアーにおいて、前記心部材を２つ以上具備したことを特徴とするルアーを提供する。
上記第８の観点によるルアーでは、例えば前後方向に伸長した心部材を上下に並べて具備することにより、左右方向には屈曲性が高く、上下方向には屈曲性が低くなる。このため、尾びれを左右に振って泳ぐ小魚などを模倣したアクションを好適に行うことが出来る。
【００１３】
第９の観点では、本発明は、請求項１から請求項８のいずれかに記載のルアーにおいて、前記筒部材のいずれかは、フックを前記胴部に密着させる磁石を具備したことを特徴とするルアーを提供する。
上記第９の観点によるルアーでは、通常時は、磁石がフックを吸引し、フックが胴部にぴったりと密着した状態になる。したがって、フックがアクションを妨げることがないため、強く魚を引きつけることが出来、フックが遊動しないため、根掛かりが防止される。また、魚がアタックしたときには、フックが磁石から外れ、その魚をフッキングさせることが出来る。
【００１４】
【発明の実施の形態】
以下、図を参照して本発明の実施の形態を説明する。なお、これにより本発明が限定されるものではない。
【００１５】
−第１の実施形態−
図１は、第１の実施形態に係るルアー１００を示す左側面図である。
このルアー１００は、従来軟質素材で製造されていたワーム型に代わるものであり、概略円筒形状の多数の筒部材１と、筒部材１と筒部材１との間に介設された概略球状の珠部材２と、筒部材１と珠部材２とからなる胴部１０の中央または頭部Ｈ寄りの筒部材１に設けられたアイレット３Ａおよびフックアイ３Ｂと、フックアイ３Ｂに取り付けられたフック４Ｂと、胴部１０の尾部Ｔ寄りに設けられたフックアイ３Ｃと、フックアイ３Ｃに取り付けられたフック４Ｃとを具備して構成されている。
【００１６】
筒部材１は、硬質素材製、例えば、硬質プラスチック製である。珠部材２は、硬質素材製、例えば、金属製である。このため、従来のソフトラバー製または酢酸ビニル製のワーム型ルアーと比較すると、格段に耐久性に優れている。
【００１７】
図２は、胴部１０を詳細に示す部分断面図である。
筒部材１には、軸方向に沿って、珠部材２に面した端面から別の珠部材２に面した端面まで貫通する軸孔１ａが穿設されている。同様に、珠部材２には、その中心を通って貫通する軸孔１ａと概略同径の軸孔２ａが穿設されている。軸孔１ａおよび軸孔２ａには、胴部１０の頭部Ｈから尾部Ｔを通じて心部材５が挿通している。心部材５は、強弾性を有する材質製であり、例えば、形状記憶合金製である。
【００１８】
胴部１０の頭部Ｈから尾部Ｔまで心部材５が挿通しているため、従来のソフトラバー製または酢酸ビニル製のワーム型ルアーのように、胴部１０がちぎれてしまうようなことがない。また、心部材５は適度な弾性を有するので、派手なアクションをなし得る。また、筒部材１同士が珠部材２を介して連結され、接触面積が小さいため、アクションを妨げることがない。
【００１９】
胴部１０が１６個の筒部材１からなる場合を図示するが、筒部材１は、５個以上のいずれの数でもよい。
【００２０】
適切な位置の筒部材１に、例えばタングステン製のシンカー（図示せず）を埋め込んで、ルアー１００の比重と質量バランスを調整してもよい。
【００２１】
図３は、ルアー１００を緩速にリトリーブした状態例を示す説明図である。
ルアー１００の胴部１０は、弱い水流を受けて不規則な形状を呈するが、心部材５による弾性のため、胴部１０を直線状にする力が働いている。
【００２２】
図４は、ルアー１００を急速にリトリーブした状態例を示す説明図である。
ラインＬを急速にリーリングすると、ルアー１００は強い水流を受けて、アイレット３Ａを設けた筒部材１付近を頂点として胴部１０が屈曲する。
ラインＬを緩めると、心部材５の弾性により、図３に示したような形状に戻る。
【００２３】
緩急をつけてリトリーブすることにより、図３に示したような直線状に近い不定形状と、図４に示したような屈曲した形状とを繰り返す派手なアクションをなし得るため、強く魚を引きつけることが出来る。
【００２４】
−第２の実施形態−
図５は、第２の実施形態に係るルアー２００を示す左側面図である。
このルアー２００は、第１の実施形態のルアー１００とほぼ同様の構成であり、概略円筒形状の多数の筒部材１と、筒部材１と筒部材１との間に介設された概略球状の珠部材２と、筒部材１と珠部材２とからなる胴部１０の筒部材１に設けられたアイレット３Ａおよびフックアイ３Ｂと、胴部１０の頭部Ｈ寄りおよび尾部Ｔ寄りに設けられたフックアイ３Ｃと、それぞれのフックアイ３Ｃに取り付けられたフック４Ｃとを具備して構成されている。
【００２５】
−第３の実施形態−
このルアー３００は、第２の実施形態のルアー２００のフックアイ３Ｂにフック４Ｂを取り付けた構成である。
【００２６】
−第４の実施形態−
このルアー４００は、第３の実施形態のルアー３００とほぼ同様の構成であり、フック４Ｂの代わりにダブルフック４Ｂ’、フック４Ｃの代わりにダブルフック４Ｃ’を具備し、ダブルフック４Ｂ’およびダブルフック４Ｃ’近傍の筒部材１には、磁石Ｍが埋設されている。
【００２７】
ダブルフック４Ｂ’およびダブルフック４Ｃ’は、例えば鋼などの強磁性体製である。このため、図８に示すように、通常時は、磁石Ｍがダブルフック４Ｂ’およびダブルフック４Ｃ’を吸引し、胴部１０にぴったりと密着した状態になる。したがって、ダブルフック４Ｂ’およびダブルフック４Ｃ’がアクションを妨げることがないため、強く魚を引きつけることが出来、フックが遊動しないため、根掛かりが防止される。ダブルフック４Ｂ’およびダブルフック４Ｃ’は、２つの鉤が約１２０°で開いているため、胴部１０に密着させる観点から好ましいが、シングルフックまたはトレブルフックも使用できる。また、魚がアタックしたときには、ダブルフック４Ｄが磁石Ｍから外れ、その魚をフッキングさせることが出来る。
【００２８】
これらのルアー２００，３００，４００によれば、第１の実施形態のルアー１００と同様に、緩急をつけてリトリーブすることにより、直線状に近い不定形状と、屈曲した形状とを繰り返す派手なアクションをなし得るため、強く魚を引きつけることが出来る。
【００２９】
−第５の実施形態−
図９は、第５の実施形態に係るルアー５００を示す左側面図である。
このルアー５００は、従来軟質素材で製造されていたワーム型に代わるものであり、概略円筒形状の多数の筒部材６，６Ａ，６Ｂと、筒部材６，６Ａ，６Ｂと筒部材６との間に介設された概略球状の珠部材２と、各筒部材６，６Ａ，６Ｂ，珠部材２を挿通する心部材５と、頭部Ｈ寄りの筒部材６Ａの最前部に設けられたアイレット３Ａと、頭部Ｈ寄りの筒部材６Ａの下面に設けられたフックアイ３Ｄと、胴部１０の尾部Ｔ寄りに設けられたフックアイ３Ｅと、フックアイ３Ｄに取り付けられたダブルフック４Ｄとを具備して構成されている。フックアイ３Ｅにもフック（図示せず）を取り付けてもよい。
【００３０】
筒部材６，６Ａ，６Ｂは、第１の実施形態の筒部材１と同様な材質でよい。また、珠部材２は、第１の実施形態の珠部材２と同様な材質でよい。
【００３１】
ルアー５００の頭部Ｈには、凹部Ｗが設けられている。このため、アイレット３Ａにライン（図示せず）を結着してリトリーブすることにより、水面でポッピングしてポッパー音や水しぶきを発生すると共に胴部１０が不規則に動き、強く魚を引きつけることが出来る。
【００３２】
フックアイ３Ｄが設けられた筒部材６Ａの近傍の筒部材６Ｂには、磁石Ｍが埋設されている。ダブルフック４Ｄは、例えば鋼などの強磁性体製である。このため、図１０に示すように、通常時は、磁石Ｍがダブルフック４Ｄを吸引し、ダブルフック４Ｄが胴部１０にぴったりと密着した状態になる。したがって、ダブルフック４Ｄがアクションを妨げることがないため、強く魚を引きつけることが出来、フックが遊動しないため、根掛かりが防止される。ダブルフック４Ｄは、２つの鉤が約１２０°で開いているため、胴部１０に密着させる観点から好ましいが、シングルフックまたはトレブルフックも使用できる。また、魚がアタックしたときには、ダブルフック４Ｄが磁石Ｍから外れ、その魚をフッキングさせることが出来る。
【００３３】
−第６の実施形態−
図１１は、第６の実施形態に係るルアー６００を示す左側面図である。図１２は、第６の実施形態に係るルアー６００を示す下面図である。図１３は、第６の実施形態に係るルアー６００を示す上面図である。
このルアー５００は、概略筒状の多数の筒部材７，７Ａ，７Ｂ，７Ｚと、筒部材７，７Ａ，７Ｂ，７Ｚと筒部材７との間に介設された概略球状の珠部材２と、各筒部材７，７Ａ，７Ｂ，７Ｚ，珠部材２を挿通する上下２本の心部材５と、頭部Ｈ寄りの筒部材７Ａの最前部に設けられたアイレット３Ａと、頭部Ｈ寄りの筒部材７Ａに埋設されたシンカーＳと、頭部Ｈ寄りの筒部材７Ａの下面に設けられたフックアイ３Ｆと、胴部１０の尾部Ｔ寄りに設けられたフックアイ３Ｇと、フックアイ３Ｆに取り付けられたトレブルフック４Ｆとを具備して構成されている。フックアイ３Ｇにもフック（図示せず）を取り付けてもよい。
【００３４】
このルアー６００は、上下２本の心部材５を備えているため、水平面に沿って左右方向には屈曲性が高く、上下方向には比較的屈曲性が低い。
また、このルアー６００は、最後部の筒部材７Ｚに、概略前後方向に直角または浅い角度の面を有する円盤状のテール部材Ｚを備えている。
このため、ストップ時は図１３に示すような形態であるが、リトリーブ時は、テール部材Ｚが水流を受けて、尾部Ｔを左右に回動させる力を生じ、例えば、図１４に示すような形態と、図１５に示すような形態を繰り返すアクションを生じる。
【００３５】
このルアー６００によれば、上下２本の心部材を挿通した胴部１０を有するので、筒部材を硬質体にしても左右方向に屈曲性が得られ、上下方向には屈曲性が小さく、また、耐久性が高い。また、胴部１０の最後部の筒部材７Ｚに水流によって尻振りを生じさせるテール部材Ｚを設けたため、リトリーブによって胴部１０の後部に左右方向の尻振りが生じ、これに伴って胴部もうねり、派手なアクションを付けられる。したがって、例えば小魚等の形態を模倣するのに好適であり、強く魚を引きつけることが出来る。
【００３６】
【発明の効果】
本発明のルアーによれば、複数の筒部材の軸孔に心部材を挿通した胴部を有するので、筒部材を硬質体にしても屈曲性が得られ、耐久性が高い。また、珠部材を介設する構造で接触面積が小さいため、屈曲性が高く、アクションが派手で魚を引きつける力が強くなる。
【図面の簡単な説明】
【図１】第１の実施形態に係るルアーを示す左側面図である。
【図２】胴部を詳細に示す部分断面図である。
【図３】第１の実施形態に係るルアーを緩速にリトリーブした状態例を示す説明図である。
【図４】第１の実施形態に係るルアーを急速にリトリーブした状態例を示す説明図である。
【図５】第２の実施形態に係るルアーを示す左側面図である。
【図６】第３の実施形態に係るルアーを示す左側面図である。
【図７】第４の実施形態に係るルアーを示す左側面図である。
【図８】第４の実施形態に係るルアーにおいてダブルフックが密着した状態を示す説明図である。
【図９】第５の実施形態に係るルアーを示す左側面図である。
【図１０】第５の実施形態に係るルアーにおいてダブルフックが密着した状態を示す説明図である。
【図１１】第６の実施形態に係るルアーを示す左側面図である。
【図１２】第６の実施形態に係るルアーを示す下面図である。
【図１３】第６の実施形態に係るルアーを示す上面図である。
【図１４】第６の実施形態に係るルアーのアクション状態の一例を示す説明図である。
【図１５】第６の実施形態に係るルアーのアクション状態の別の一例を示す説明図である。
【符号の説明】
１，６，６Ａ，６Ｂ，７，７Ａ，７Ｂ，７Ｚ      筒部材
１ａ，２ａ      軸孔
２      珠部材
３Ａ      アイレット
３Ｂ，３Ｃ，３Ｄ，３Ｅ，３Ｆ，３Ｇ      フックアイ
４Ｂ，４Ｃ      フック
４Ｂ’，４Ｃ’，４Ｄ      ダブルフック
４Ｆ      トレブルフック
５      心部材
１０      胴部
１００，２００，３００，４００，５００，６００      ルアー
Ｈ      頭部
Ｌ      ライン
Ｍ      磁石
Ｓ      シンカー
Ｔ      尾部
Ｗ      凹部
Ｚ      テール部材
【図１】
2004357646.tif 000003
【図２】
2004357646.tif 000004
【図３】
2004357646.tif 000005
【図４】
2004357646.tif 000006
【図５】
2004357646.tif 000007
【図６】
2004357646.tif 000008
【図７】
2004357646.tif 000009
【図８】
2004357646.tif 000010
【図９】
2004357646.tif 000011
【図１０】
2004357646.tif 000012
【図１１】
2004357646.tif 000013
【図１２】
2004357646.tif 000014
【図１３】
2004357646.tif 000015
【図１４】
2004357646.tif 000016
【図１５】
2004357646.tif 000017